【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
認証装置の測定領域に配置されたアイテムの一部が、所定の複屈折率特性を備えていることの検出に応じて、フィルム基板を含む前記アイテムの真正を決定するように動作する認証装置であって、アイテムの少なくとも一部が、前記認証装置の測定領域に配置されているかどうかを決定するように動作するアイテム検出配列と、光学ベースの複屈折率測定装置と、を含み、前記認証装置が、測定した複屈折率特性を所定の複屈折率特性と比較し、前記比較に基づいて、前記アイテムの真正又はその他を示す真正信号を生成するように動作し、前記装置が更に、前記アイテム検出配列による、前記測定領域の前記アイテムの前記少なくとも一部の存在又はその他の決定に応じて、前記装置からの前記真正信号の出力を制御するように動作する制御手段を含んでいる装置。
【請求項２】
前記アイテム検出配列が、前記装置のアイテム検出領域に電磁波を照射するように配置され、動作するアイテム検出エミッタと、前記アイテム検出領域から反射した電磁波、及び前記アイテム検出領域を通過した電磁波の、少なくとも一方を受け取るように配置され、動作するアイテム検出ディテクタと、を含み、前記アイテム検出ディテクタが更に、前記アイテム検出領域のアイテムの存在又はその他を示す信号を提供するように動作し、更に、前記アイテム検出配列が、前記アイテム検出領域のアイテムの存在を示す前記アイテム検出ディテクタ信号の受け取りに応じて、前記アイテムの前記少なくとも一部が前記測定領域に配置されていることを決定するように動作する、請求項１に記載の装置。
【請求項３】
前記アイテム検出エミッタが、白色光及び／又は赤外光を出射するように動作する、請求項２に記載の装置。
【請求項４】
前記アイテム検出ディテクタが、白色光及び／又は赤色光を検出するように動作する、請求項２又は３に記載の装置。
【請求項５】
前記装置が、バブル処理によって作製したアイテムフィルム基板と、異なる処理によって作製したアイテムフィルム基板と、を区別するように動作する、請求項１〜４のいずれか一つに記載の装置。
【請求項６】
前記光学ベースの複屈折率測定装置が、前記装置の前記測定領域に、電磁波を照射するように配置され動作する複屈折率測定エミッタと、前記複屈折率測定エミッタと前記測定領域の第一側との間に配置され、前記複屈折率測定エミッタによって出射された電磁波を通過させる第一偏光子と、前記測定領域の第二側に配置され、前記複屈折率測定エミッタから前記測定領域を通過した電磁波を受け取るように動作する、複屈折率測定ディテクタと、前記測定領域の第二側と前記複屈折率測定ディテクタとの間に配置され、前記測定領域を透過した電磁波を通過させる第二偏光子と、を含み、前記第二偏光子が第一偏光子に対して横方向の偏光に影響を与えるように方向付けられ、前記複屈折率測定ディテクタが、測定した複屈折率特性に対応する信号を出力するように動作する、請求項１〜５のいずれか一つに記載の装置。
【請求項７】
測定した複屈折率特性に対応して、前記複屈折率測定ディテクタによって出力された前記出力信号が、受け取った透過電磁波の強度に比例する、請求項６に記載の装置。
【請求項８】
前記複屈折率測定ディテクタが、測定した複屈折率特性に対応する前記出力信号をプロセッサに通信するように動作し、前記プロセッサが、前記出力信号の値を前記所定の複屈折率特性と比較するように動作する、請求項７に記載の装置。
【請求項９】
前記アイテムの不透明又は半不透明領域が前記測定領域に配置されている場合の、所望の複屈折率測定ディテクタの出力信号値に対応する第一範囲の値、前記アイテムの透明又は半透明領域が前記測定領域に配置されている場合の、所望の複屈折率測定ディテクタの出力信号値に対応する第二範囲の値、及びアイテムが前記測定領域に存在しない場合の、所望の複屈折率測定ディテクタの出力信号値に対応する第三範囲の値、の一つを前記所定の複屈折率特性が含んでいる、請求項６〜８のいずれか一つに記載の装置。
【請求項１０】
前記複屈折率測定エミッタが、光源を含んでいる、請求項６〜９のいずれか一つに記載の装置。
【請求項１１】
前記光源が、白色発光ＬＥＤを含んでいる、請求項１０に記載の装置。
【請求項１２】
前記複屈折率測定ディテクタが、フォトディテクタを含んでいる、請求項６〜１０のいずれか一つに記載の装置。
【請求項１３】
フォトディテクタが、フォトダイオードを含んでいる、請求項１２に記載の装置。
【請求項１４】
フォトダイオードが、白色光の検出に適している、請求項１３に記載の装置。
【請求項１５】
前記複屈折率測定エミッタが、レール又はロッドにスライド可能なように取り付けられている、請求項６〜１４のいずれか一つに記載の装置。
【請求項１６】
前記複屈折率測定エミッタが、取付け部によってレール又はロッドに取り付けられ、前記取付け部が、レール又はロッドに対してスライド可能であり、前記取付け部が、前記複屈折率測定エミッタの位置を、レール又はロッドに対して固定できる固定要素を含む、請求項１５に記載の装置。
【請求項１７】
前記複屈折率測定ディテクタが、レール又はロッドにスライド可能なように取り付けられている、請求項６〜１６のいずれか一つに記載の装置。
【請求項１８】
前記複屈折率測定ディテクタが、取付け部によって、レール又はロッドに取り付けられ、前記取付け部が、レール又はロッドに対してスライド可能であり、前記取付け部が、前記複屈折率測定ディテクタの位置を、レール又はロッドに対して固定できる固定要素を含む、請求項１７に記載の装置。
【請求項１９】
前記アイテム検出配列が、アイテム認証領域が前記測定領域に配置されているかどうかを決定する光学ベースの反射率測定装置を含み、前記反射率測定装置が、前記装置の前記測定領域に電磁波を照射するように動作する反射率測定エミッタと、前記装置の前記測定領域から反射した電磁波を受け取るように配置され、動作し、前記測定領域から反射した前記電磁波の測定した特性に対応し、前記測定領域のアイテム認証領域の存在又はその他を示す、信号を出力するように動作する、反射率測定ディテクタと、を含み、前記反射率測定装置が、測定した反射特性を一組の所定の反射特性と比較し、前記比較に基づいて、前記測定領域の前記アイテム認証領域の存在又はその他を決定するように動作し、更に、前記決定を示す信号を前記制御手段に提供するように動作し、前記制御手段からの前記真正信号の出力を制御する、請求項１〜１８のいずれか一つに記載の装置。
【請求項２０】
測定した反射特性に対応して、前記反射率測定ディテクタによって出力された前記出力信号が、受け取った反射電磁波の強度に比例する、請求項１９に記載の装置。
【請求項２１】
前記反射率測定ディテクタが、測定した反射特性に対応する前記出力信号をプロセッサに通信するように動作し、前記プロセッサが、前記測定した反射特性に対応する前記出力信号の値を前記所定の反射特性と比較し、前記所定の反射特性が、前記測定領域の中での前記アイテムのアイテム認証領域の存在を示す予め定められた値を含み、前記プロセッサが、前記アイテム認証領域が前記測定領域に存在しているか存在していないかの前記決定を前記比較に基づいて実行するように動作し、前記決定を示す前記信号を前記制御手段に提供するように動作する、請求項１９又は２０に記載の装置。
【請求項２２】
測定した反射特性に対応して、前記反射率測定ディテクタによって出力された前記出力信号と前記所定の反射特性との前記比較が、前記アイテム認証領域が測定領域に配置されていることを示した場合、前記プロセッサが、前記測定領域の中での前記アイテム認証領域の存在を示す決定信号を、前記制御手段に出力するように動作し、その受け取りに応じて、前記制御手段が、測定した複屈折率特性に対応して、前記複屈折率測定ディテクタによって出力された前記出力信号と前記所定の複屈折率特性との前記比較に基づいて、前記アイテムの真正又はその他を示す前記真正信号を出力するように動作する、請求項２１に記載の装置。
【請求項２３】
前記アイテムの不透明又は半不透明領域が前記測定領域に配置されている場合の、所望の反射率測定ディテクタの出力信号値に対応する第一範囲の値、前記アイテムの透明又は半透明領域が前記測定領域に配置されている場合の、所望の反射率測定ディテクタの出力信号値に対応する第二範囲の値、及びアイテムが前記測定領域に存在しない場合の、所望の反射率測定ディテクタの出力信号値に対応する第三範囲の値、の一つ以上を前記所定の反射特性が含んでいる、請求項１９〜２２のいずれか一つに記載の装置。
【請求項２４】
前記反射率測定ディテクタが、それに関連付けられた遮蔽部を備え、前記遮蔽部が、少なくとも一つの絞りを包含し、前記絞りが、前記反射率測定ディテクタに対して配置され、前記アイテムの前記少なくとも一部から反射した電磁波を、反射率測定ディテクタで受け取り可能にする、請求項１９〜２３のいずれか一つに記載の装置。
【請求項２５】
遮蔽部が、管を含み、絞りが、前記管の中空部を含んでいる、請求項２４に記載の装置。
【請求項２６】
反射率測定ディテクタが、管の端部、又は内部に配置されている、請求項２５に記載の装置。
【請求項２７】
前記絞りが、遮蔽部の管状領域を含んでいる、請求項２４に記載の装置。
【請求項２８】
前記反射率測定ディテクタが、遮蔽部の管状領域の端部、又は内部に配置されている、請求項２７に記載の装置。
【請求項２９】
前記反射率測定エミッタがそれに関連付けられた遮蔽部を備え、前記遮蔽部が絞りを包含し、前記絞りが反射率測定エミッタに対して配置され、反射率測定エミッタから出射された電磁波が前記装置の測定領域に向かって導かれることを可能にする、請求項１９〜２８のいずれか一つに記載の装置。
【請求項３０】
前記遮蔽部が、管を含み、絞りが、管の中空部を含んでいる、請求項２９に記載の装置。
【請求項３１】
前記反射率測定エミッタが、管の端部、又は内部に配置されている、請求項３０に記載の装置。
【請求項３２】
前記絞りが、前記遮蔽部の管状領域を含んでいる、請求項２９に記載の装置。
【請求項３３】
前記反射率測定エミッタが、前記遮蔽部の管状領域の端部、又は内部に配置されている、請求項３２に記載の装置。
【請求項３４】
前記反射率測定エミッタが、コヒーレントな電磁波を出射するように動作する、請求項１９〜３３のいずれか一つに記載の装置。
【請求項３５】
前記反射率測定エミッタが、少なくとも一つのＬＥＤを含んでいる、請求項１９〜３４のいずれか一つに記載の装置。
【請求項３６】
前記少なくとも一つのＬＥＤが、電磁スペクトルの赤外線範囲の光を出射するように動作し、及び／又は白色光エミッタ源を含んでいる、請求項３５に記載の装置。
【請求項３７】
前記反射率測定エミッタが、少なくとも一つの帯状電磁波源を含んでいる、請求項１９〜３６のいずれか一つに記載の装置。
【請求項３８】
前記反射率測定ディテクタが、少なくとも一つのフォトダイオードを含んでいる、請求項１９〜３７のいずれか一つに記載の装置。
【請求項３９】
前記少なくとも一つのフォトダイオードが、電磁スペクトルの赤外線範囲の光を検出するように動作する、請求項３８に記載の装置。
【請求項４０】
前記反射率測定ディテクタが、少なくとも一つのライン走査カメラを含み、及び／又は少なくとも一つの分光器とＣＣＤ又はＣＭＯＳイメージセンサを含んでいる、請求項１９〜３９のいずれか一つに記載の装置。
【請求項４１】
前記反射率測定エミッタが、複数のＬＥＤ、複数の白色光エミッタ源、及び複数の帯状電磁波源、の少なくとも一つを含み、前記反射率測定ディテクタが、複数のフォトダイオード、複数のライン走査カメラ、及び複数の分光器とＣＣＤ又はＣＭＯＳイメージセンサの少なくとも一つを含み、前記複数のＬＥＤが各々、複数のフォトダイオード、及び／又は複数のライン走査カメラ、及び／又は複数の分光器とＣＣＤ又はＣＭＯＳイメージセンサの対応する一つと対をなし、前記複数の白色光エミッタ源が各々、複数のフォトダイオード、及び／又は複数のライン走査カメラ、及び／又は複数の分光器とＣＣＤ又はＣＭＯＳイメージセンサの対応する一つと対をなし、前記複数の帯状電磁波源が各々、複数のフォトダイオード、及び／又は複数のライン走査カメラ、及び／又は複数の分光器とＣＣＤ又はＣＭＯＳイメージセンサの対応する一つと対をなしている、請求項１９〜４０のいずれか一つに記載の装置。
【請求項４２】
前記複数のＬＥＤの前記少なくとも一つが、電磁スペクトルの赤外線範囲の光を出射するように動作する、請求項４１に記載の装置。
【請求項４３】
前記複数のフォトダイオードの前記少なくとも一つが、電磁スペクトルの赤外線範囲の光を検出するように動作する、請求項４１又は４２に記載の装置。
【請求項４４】
装置が搬送経路を包含し、前記搬送経路の一部が測定領域を含み、前記アイテムの搬送経路に沿って前記アイテムを運ぶことができる、請求項１〜４３のいずれか一つに記載の装置。
【請求項４５】
前記アイテムが、紙幣を含んでいる、請求項１〜４４のいずれか一つに記載の装置。
【請求項４６】
請求項９に従属するとき、又は請求項９に直接的又は間接的に従属する場合の請求項１０〜４４のいずれか一つに従属するとき、不透明又は半不透明領域が前記紙幣の印刷領域を含み、及び／又はアイテムの透明又は半透明領域が紙幣の未印刷領域又は窓領域を含む、請求項４５に記載の装置。
【請求項４７】
更に、紙幣計数装置を介して運ばれる紙幣の数を維持するように動作する紙幣計数デバイスを含み、前記紙幣計数デバイスが更に、前記認証装置からのアイテムの真正又はその他を示す真正信号を受け取るように動作し、測定領域のアイテムが、真正であることを前記信号が示したときだけ、前記紙幣計数デバイスが紙幣数を変更するように動作する、請求項１〜４６のいずれか一つに記載の認証装置を含む紙幣計数装置。
【請求項４８】
測定領域のアイテムが真正であることを示す信号を受け取ると、紙幣計数デバイスが紙幣数を変更するように動作する、請求項４７に記載の装置。
【請求項４９】
前記紙幣計数デバイスが、数を増加させることによって、紙幣数を変更するように動作する、請求項４８に記載の装置。
【請求項５０】
フィルム基板を含むアイテムの認証方法であって、認証装置の測定領域に配置されたアイテムの一部が、所定の複屈折率特性を備えているかどうかを検出することを含み、前記アイテムの少なくとも一部が前記認証装置の測定領域に配置されているかどうかを、アイテム検出配列によって決定するステップと、光学ベースの複屈折率測定装置によって得られる測定した複屈折率特性と所定の複屈折率特性とを比較するステップと、前記比較に基づいて、前記アイテムの真正又はその他を示す真正信号を生成するステップと、前記アイテム検出配列によって、前記測定領域の中での前記アイテムの前記少なくとも一部の存在又はその他の決定に応じて、前記装置からの前記真正信号の出力を、制御手段を介して制御するステップと、を更に含む方法。
【請求項５１】
前記アイテム検出配列の一部を構成するアイテム検出エミッタを介して、前記装置のアイテム検出領域に電磁波を照射することと、前記アイテム検出配列の一部を構成するアイテム検出ディテクタを介して、前記アイテム検出領域から反射した電磁波と、前記アイテム検出領域を通過した電磁波と、の少なくとも一方を受け取ることと、を含み、更に、前記アイテム検出領域のアイテムの存在又はその他を示す信号を提供することと、前記アイテム検出領域のアイテムの存在を示すアイテム検出ディテクタ信号の受取りに応じて、前記アイテムの前記少なくとも一部が前記測定領域に配置されていることを、前記アイテムディテクタ配列によって決定することと、を含んでいる、請求項５０に記載の方法。
【請求項５２】
バブル処理によって作製したアイテムフィルム基板と、異なる処理によって作製したアイテムフィルム基板とを区別する、請求項５０又は５１に記載の方法。
【請求項５３】
複屈折率測定エミッタを用いて、前記装置の前記測定領域に電磁波を照射することと、前記複屈折率測定エミッタと、前記測定領域の第一側との間に、第一偏光子を配置し、前記複屈折率測定エミッタによって出射された電磁波を通過させることと、前記測定領域の第二側に、複屈折率測定ディテクタを配置することと、前記複屈折率測定ディテクタにおいて、前記複屈折率測定エミッタから前記測定領域を通過した電磁波を受け取ることと、前記測定領域の前記第二側と、前記複屈折率測定ディテクタとの間に、第二偏光子を配置し、前記測定領域を透過した電磁波を通過させることと、前記第二偏光子を第一偏光子に対して横方向の偏光に影響を与えるように方向付けることと、測定した複屈折率特性に対応する信号を、前記複屈折率測定ディテクタから出力することと、を含む、請求項５０〜５２のいずれか一つに記載の方法。
【請求項５４】
測定した複屈折率特性に対応する前記出力信号をプロセッサに通信することと、前記プロセッサで、前記出力信号の値を前記所定の複屈折率特性と比較することと、を含む、請求項５３に記載の装置。
【請求項５５】
前記アイテムの不透明又は半不透明領域が、前記測定領域に配置されている場合の、所望の複屈折率測定ディテクタの出力信号値に対応する第一範囲の値、前記アイテムの透明又は半透明領域が前記測定領域に配置されている場合の、所望の複屈折率測定ディテクタの出力信号値に対応する第二範囲の値、及びアイテムが、前記測定領域に存在しない場合の、所望の複屈折率測定ディテクタの出力信号値に対応する第三範囲の値、の一つを、前記所定の複屈折率特性が含んでいる、請求項５３又は５４に記載の方法。
【請求項５６】
前記アイテム検出配列の光学ベースの反射率測定装置を介して、アイテムのアイテム認証領域が、前記測定領域に配置されているかどうかを決定することを含み、前記決定ステップが、前記反射率測定装置の反射率測定エミッタを介して、前記装置の前記測定領域に電磁波を照射することと、前記反射率測定装置の反射率測定ディテクタを介して、前記装置の前記測定領域から反射した電磁波を受け取ることと、前記測定領域から反射した前記電磁波の測定した特性に対応し、前記測定領域のアイテム認証領域の存在又はその他を示す信号を、前記反射率測定ディテクタから出力することと、前記反射率測定装置で、測定した反射特性を一組の所定の反射特性と比較することと、前記比較に基づいて、前記測定領域の前記アイテム認証領域の存在又はその他を決定することと、前記決定を示す信号を前記制御手段に提供し、前記制御手段からの前記真正信号の出力を制御することと、によって実行される、請求項５０〜５５のいずれか一つに記載の方法。
【請求項５７】
測定した反射特性に対応する前記出力信号をプロセッサに通信することを含み、前記プロセッサが、前記測定した反射特性に対応する前記出力信号の値を前記所定の反射特性と比較するように動作し、前記所定の反射特性が、前記測定領域の中での前記アイテムのアイテム認証領域の存在を示す予め定められた値を含み、前記プロセッサは前記比較に基づいて、前記アイテム認証領域が前記測定領域に存在するかどうかの前記決定を実行するように動作し、前記決定を示す前記信号を前記制御手段に提供するように動作する、請求項５６に記載の方法。
【請求項５８】
測定した反射特性に対応して、前記反射率測定ディテクタによって出力された前記出力信号と前記所定の反射特性との前記比較が、前記アイテム認証領域が測定領域に配置されていることを示す場合、前記測定領域の中での前記アイテム認証領域の存在を示す決定信号を、前記プロセッサから前記制御手段に出力し、その受取りに応じて、測定した複屈折率特性に対応して、前記複屈折率測定ディテクタによって出力された前記出力信号と前記所定の複屈折率特性との前記比較に基づいて、前記アイテムの真正又はその他を示す前記真正信号を、前記制御手段から出力する、請求項５７に記載の方法。
【請求項５９】
前記アイテムの不透明又は半不透明領域が前記測定領域に配置されている場合の、所望の反射率測定ディテクタの出力信号値に対応する第一範囲の値、前記アイテムの透明又は半透明領域が前記測定領域に配置されている場合の、所望の反射率測定ディテクタの出力信号値に対応する第二範囲の値、及びアイテムが前記測定領域に存在しない場合の、所望の反射率測定ディテクタの出力信号値に対応する第三範囲の値、の一つ以上を、前記所定の反射特性が含んでいる、請求項５６〜５８のいずれか一つに記載の方法。
【請求項６０】
前記アイテムが、紙幣を含んでいる、請求項５０〜５９のいずれか一つに記載の方法。
【請求項６１】
請求項５５に従属するとき、又は請求項５５に直接的又は間接的に従属する場合の請求項５６〜５９のいずれか一つに従属するとき、不透明又は半不透明領域が前記紙幣の印刷領域を含み、及び／又はアイテムの透明又は半透明領域が前記紙幣の未印刷領域又は窓領域を含んでいる、請求項６０に記載の方法。
【請求項６２】
前記認証装置の搬送経路を提供することと、前記搬送経路の一部が前記測定領域を含み、前記搬送経路に沿って前記アイテムを運ぶことと、を含む、請求項５０〜６１のいずれか一つに記載の方法。
【請求項６３】
請求項５０〜６２のいずれか一つの方法を含み、紙幣計数デバイスを用いて装置を介して運ばれる紙幣の数を維持することと、前記紙幣計数デバイスにおいて、前記アイテムの真正又はその他を示す前記真正信号を、前記認証装置から受け取ることと、測定領域のアイテムが真正であることを、真正信号が示したときだけ、紙幣数を変更することと、を更に含む、紙幣計数方法。
【請求項６４】
測定領域のアイテムが真正であることを示す真正信号を受け取ると、前記紙幣数を変更することを更に含む、請求項６３に記載の方法。
【請求項６５】
前記数を増加させることによって前記紙幣数を変更することを含む、請求項６４に記載の方法。